(57)【特許請求の範囲】
【請求項１】
蛍光表示管と離間して配置された１次巻線と、第１，第２の２次巻線を有するトランスと、
前記第１の２次巻線から出力される交流電圧を整流して得た負の直流電圧を前記第２の２次巻線の一端に供給して前記第２の２次巻線から出力される交流電圧に重畳する、前記トランスの近傍に配置された第１の整流回路と、
前記第１の２次巻線の中間タップから出力される交流電圧を整流して得た正の直流電圧を前記蛍光表示管にプレート電圧として供給する、前記トランスの近傍に配置された第２の整流回路と、
前記第２の２次巻線と両端を接続された前記蛍光表示管のヒータの両端のうちの前記第２の２次巻線の他端と接続された一端に接続されており前記第２の２次巻線から供給される前記負の直流電圧が重畳された交流電圧を整流して前記蛍光表示管にグリッド電圧として供給する、前記蛍光表示管の近傍に配置された第３の整流回路とを
有することを特徴とする蛍光表示管の電源供給回路。
【発明の詳細な説明】
【０００１】
【発明の属する技術分野】
本発明は蛍光表示管の電源供給回路に関し、特に、ディスクに記録された音楽をリミックスするための特殊再生機能を有するＣＤプレーヤ等の蛍光表示管の電源供給回路に関する。
【０００２】
【従来の技術】
図５に従来の蛍光表示管の電源供給回路の一例の回路図を示す。本体１１０側のトランス１１２の１次巻線Ｔ１には交流電源が供給される。トランス１１２の２次巻線Ｔ３から得られた交流電圧は、ダイオードＤ１とコンデンサＣ１からなる整流回路によって負の直流電圧に整流され、コントローラ１１４側の蛍光表示管１１６のグリッドＧにグリッド電圧として供給される。また、２次巻線Ｔ３の中間タップから取り出された交流電圧はダイオードＤ２とコンデンサＣ２からなる整流回路により正の直流電圧に整流され、コントローラ１１４側のドライバコントローラ１１８に蛍光表示管１１６のプレート電圧として供給される。
【０００３】
また、トランス１１２の２次巻線Ｔ２のセンタタップには２次巻線Ｔ３出力を整流した負の直流電圧が供給されており、２次巻線Ｔ２から得られる交流電圧と重畳されて、コントローラ１１４側へ蛍光表示管１１６のヒータ（フィラメント）Ｈにヒータ電圧として供給される。なお、本体１１０とコントローラ１１４の間にはこの他にアース線が存在するが、ここでは図示を省略する。
【０００４】
【発明が解決しようとする課題】
本体１１０からコントローラ１１４に対して電源を供給するのに、アース線を含めると５本の配線が必要であり、本体１１０，コントローラ１１４それぞれにはその分だけの端子が必要であった。また、ヒータＨにはグリッド電圧を加えることからヒータ電圧とグリッド電圧はほぼ同電位となるが、ヒータ電圧とグリッド電圧が同電位であると、表示が不要な場合であってもカソードから多少の熱電子がプレートＰに達し、表示管が薄く点灯してしまうという不都合があることから、グリッド電圧はヒータ電圧に対し電位を下げる必要がある。
【０００５】
このために２次巻線Ｔ３から得られる交流電圧を高くしてグリッドＧに加える負の直流電圧を低くし（絶対値を大きく）、２次巻線Ｔ２のセンタタップには抵抗で分圧した電圧を加えることが考えられるが、２次巻線Ｔ３は高い電圧を得るために巻線数を多くする必要があり、またヒータＨに加える直流電圧については、２次巻線Ｔ３から得られた直流電圧を抵抗で分圧して下げる必要があるので効率的ではないという問題があった。
【０００６】
本発明は、上記の点に鑑みなされたもので、トランスと蛍光表示管との間の配線本数を削減でき、抵抗で分圧することなく効率的にグリッド電圧をヒータ電圧に比べて低くできる蛍光表示管の電源供給回路を提供することを目的とする。
【０００７】
【課題を解決するための手段】
請求項１に記載の発明は、蛍光表示管と離間して配置された１次巻線と、第１，第２の２次巻線を有するトランスと、
前記第１の２次巻線から出力される交流電圧を整流して得た負の直流電圧を前記第２の２次巻線の一端に供給して前記第２の２次巻線から出力される交流電圧に重畳する、前記トランスの近傍に配置された第１の整流回路と、
前記第１の２次巻線の中間タップから出力される交流電圧を整流して得た正の直流電圧を前記蛍光表示管にプレート電圧として供給する、前記トランスの近傍に配置された第２の整流回路と、
前記第２の２次巻線と両端を接続された前記蛍光表示管のヒータの両端のうちの前記第２の２次巻線の他端と接続された一端に接続されており前記第２の２次巻線から供給される前記負の直流電圧が重畳された交流電圧を整流して前記蛍光表示管にグリッド電圧として供給する、前記蛍光表示管の近傍に配置された第３の整流回路とを有する。
【０００８】
このように、第１の２次巻線から出力される交流電圧を整流して得た負の直流電圧を第２の２次巻線の一端に供給して第２の２次巻線から出力される交流電圧に重畳し、ヒータの両端のうちの第２の２次巻線の他端と接続された一端から負の直流電圧が重畳された交流電圧を整流して蛍光表示管にグリッド電圧として供給するため、トランスと蛍光表示管との間の配線本数を削減でき、また、抵抗で分圧することなく効率的にグリッド電圧をヒータ電圧に比べて低くできる。
【０００９】
【発明の実施の形態】
図１は、本発明の蛍光表示管の電源供給回路の第１実施例の回路図を示す。同図中、図５と同一部分には同一符号を付す。図１において、本体１１０側のトランス１１２の１次巻線Ｔ１には交流電源が供給される。トランス１１２の２次巻線Ｔ３から得られる交流電圧はダイオードＤ４とコンデンサＣ４からなる整流回路により整流されて直流電圧−２０Ｖとされ、ダイオードＤ３を介してトランス１１２の２次巻線Ｔ２の一端に供給される。
【００１０】
また、トランス１１２の２次巻線Ｔ２には交流電圧５Ｖが得られ、この交流電圧５Ｖに上記２次巻線Ｔ３からの直流電圧−２０Ｖが重畳される。この２次巻線Ｔ２の両端は配線１２０，１２１によってコントローラ１１４側の蛍光表示管１１６のヒータ（フィラメント）Ｈの両端に接続されている。
【００１１】
また、２次巻線Ｔ３の中間タップから取り出された交流信号はダイオードＤ２とコンデンサＣ２からなる整流回路により正電圧に整流され、配線１２２を通してコントローラ１１４側のドライバコントローラ１１８に蛍光表示管１１６のプレート電圧として供給される。
【００１２】
コントローラ１１４側では、ヒータＨの両端のうち、ダイオードＤ３が接続されていない側の一端にダイオードＤ５のカソードが接続され、そのアノードはコンデンサＣ５を介して接地され、ダイオードＤ５とコンデンサＣ５で半波整流回路が構成されている。この半波整流回路は直流電圧−２０Ｖが重畳された交流電圧５Ｖを整流して負の直流電圧−２７Ｖ（＝−２０−５・√２）を得て（コンデンサＣ５の容量が十分大きな場合）、ダイオードＤ５とコンデンサＣ５の接続点から蛍光表示管１１６のグリッドＧにグリッド電圧として供給する。つまり、グリッド電圧はヒータ電圧に比べて電位が低い。なお、本体１１０とコントローラ１１４の間にはこの他にアース線が存在するが、ここでは図示を省略している。
【００１３】
このように、本実施例では本体１１０とコントローラ１１４の間の配線をアース線を含めて４本の配線で済み、本体１１０，コントローラ１１４それぞれの端子数も少なくできる。また、グリッド電圧がヒータ電圧に比べて低いため、表示が不要な場合に表示管が薄く点灯してしまうことを防止でき、そのために分圧抵抗を用いる必要がなく、従来に比して効率的となる。また、グリッド電圧を得るための２次巻線Ｔ３の出力電圧を下げることができ、２次巻線Ｔ３の巻線数を少なくすることができる。
【００１４】
図２は、本発明の蛍光表示管の電源供給回路の第２実施例の回路図を示す。同図中、図１と同一部分には同一符号を付す。図２において、本体１１０側のトランス１１２の１次巻線Ｔ１には交流電源が供給される。トランス１１２の２次巻線Ｔ３から得られる交流電圧はダイオードＤ４とコンデンサＣ４からなる整流回路により整流されて直流電圧−２０Ｖとされ、ダイオードＤ３を介してトランス１１２の２次巻線Ｔ２の一端に供給されると共に、ダイオードＤ６を介してトランス１１２の２次巻線Ｔ２の他端に供給される。
【００１５】
また、トランス１１２の２次巻線Ｔ２には交流電圧５Ｖが得られ、この交流電圧５Ｖに上記２次巻線Ｔ３からの直流電圧−２０Ｖが重畳される。この２次巻線Ｔ２の両端は配線１２０，１２１によってコントローラ１１４側の蛍光表示管１１６のヒータ（フィラメント）Ｈの両端に接続されている。
【００１６】
また、２次巻線Ｔ３の中間タップから取り出された交流信号はダイオードＤ２とコンデンサＣ２からなる整流回路により正電圧に整流され、配線１２２を通してコントローラ１１４側のドライバコントローラ１１８に蛍光表示管１１６のプレート電圧として供給される。
【００１７】
コントローラ１１４側では、ヒータＨの一端にダイオードＤ５のカソードが接続され、そのアノードはコンデンサＣ５を介して接地され、ダイオードＤ５とコンデンサＣ５で半波整流回路が構成されている。また、ヒータＨの他端にダイオードＤ７のカソードが接続され、そのアノードはコンデンサＣ５を介して接地され、ダイオードＤ７とコンデンサＣ５で半波整流回路が構成されている。
【００１８】
この２つの半波整流回路は直流電圧−２０Ｖが重畳された交流電圧５Ｖを全波整流して負の直流電圧−２７．０Ｖ（＝−２０−５・√２）を得て、ダイオードＤ５とコンデンサＣ５の接続点から蛍光表示管１１６のグリッドＧにグリッド電圧として供給する。つまり、グリッド電圧はヒータ電圧に比べて電位が低い。なお、本体１１０とコントローラ１１４の間にはこの他にアース線が存在するが、ここでは図示を省略している。
【００１９】
本実施例では、第１実施例に比べ、コンデンサＣ５の容量を小さくすることができる。
【００２０】
なお、第１，第２実施例では、本体１１０とコントローラ１１４を分離し、配線ケーブルを介して接続する場合を述べたが、これらを一体としてもよい。
【００２１】
図３は、本発明が適応されるディスク再生装置の一実施例のブロック構成図を示す。このディスク再生装置は、音楽が記録されたＣＤ（コンパクトディスク）を使用して、音楽のテンポやキーを変えたり、同一フレーズを繰り返し再生したり、気に入ったフレーズをミックスしたり、さらにミキサのクロスフェーダを使って音楽をつないだりすることにより自分用のオリジナル演奏を行ったりする、ＤＪ( ディスクジョッキー) 等に用いられる。
【００２２】
図３において、ＣＤ再生部１０は、ディスクであるＣＤ（コンパクトディスク）を通常の再生速度の２倍の速度で回転駆動し、ＣＤ再生部１０のピックアップより再生された２倍速の再生信号はＲＦアンプを通じてＣＤ再生部１０内のＣＤ再生用ＤＳＰ（ディジタル・シグナル・プロセッサ）に供給され、ここで、ＥＦＭ（エイト・ツー・フォーティーン・モジュレーション）復調、ＣＩＲＣ（クロスインターリーブ・リードソロモン・コード）のデコード等の信号処理が行われる。
【００２３】
また、再生信号からサブコードが分離され、サブコードのデコード処理が行われる。サブコードデータはメインマイクロコンピュータ（以降、「メインマイコン」と略す。）１２からのカウンタ信号にしたがってメインマイコン１２内のＲＡＭに格納される。また、ＣＤ再生用ＤＳＰで信号処理されたオーディオデータはデータメンテナンス用のＤＳＰ１４に供給される。
【００２４】
ＤＳＰ１４にはオーディオデータを格納するためのＤＲＡＭ（ダイナミックＲＡＭ）１６が接続されており、ＤＳＰ１４はメモリコントローラの役割を持っている。ＤＲＡＭ１６は送られてくるオーディオデータを例えば約１０秒間格納することができ、ディフェクト等により音飛びが生じた場合の保護のためのアンチショック機能、また所望の曲を瞬時に音出しするためのクイックスタート機能、所定の２点間を繰り返し再生するためのシームレスループ機能、スクラッチ処理を行う機能、曲のテンポの可変する機能、再生速度を徐々に減速して曲を止めるブレーキ機能等を実現するために用いられる。
【００２５】
ＤＳＰ１４は２倍速で読み出されたオーディオデータをメインマイコン１２からのカウンタ信号に従ってＤＲＡＭ１６に書き込むと同時に、メインマイコン１２からのカウンタ信号に従ってオーディオデータを１倍速で読み出してＣＤ音エフェクト用のＤＳＰ１８に供給する。
【００２６】
ＤＳＰ１８には作業用メモリとしてのＤＲＡＭ２０が接続されており、ＤＳＰ１８はキー（音程）の調整、出力レベルの調整、曲中のボーカル音量のみを下げるボイス機能等の各種エフェクト処理を実行する。ＤＳＰ１８の出力するオーディオデータはデジタルフィルタを通じてＤ／Ａコンバータ２２に供給されると共に、サンプラーエフェクト用のＤＳＰ２６に供給される。
【００２７】
ＤＳＰ２６にはデータを格納するためのＤＲＡＭ（ダイナミックＲＡＭ）２８が接続されており、ＤＳＰ２６はメモリコントローラの役割を持っている。ＤＲＡＭ２８はオーディオデータを例えば約１０秒間格納することができる。ＤＳＰ２６はサンプラー処理を行う。ユーザが指定するサンプリング開始点からサンプリング終了点までの期間のオーディオデータをＤＲＡＭ２８に記憶し、ユーザが指定する再生タイミングで記憶されたオーディオデータを読み出してＤ／Ａコンバータ３０に供給すると共にＤＳＰ１８に供給する。ＤＳＰ１８では自装置の出力オーディオデータにＤＳＰ２６からのオーディオデータを混合してＤ／Ａコンバータ２２に供給する。
【００２８】
また、メインマイコン１２には処理のためのプログラムやデータが記憶されたＥＰＲＯＭ（イレーザブル・プログラマブルＲＯＭ）３２と、曲( またはトラック) 毎にテンポ値、ループポイント等の各種設定値が記憶されるＥＥＰＲＯＭ（エレクトリック・イレーザブル・プログラマブルＲＯＭ）３４が接続されている。クロックジェネレータ３６はクロック信号を生成してＣＤ再生部１０及びメインマイコン１２に供給している。
【００２９】
また、メインマイコン１２はカウンタ信号に従って内蔵するＲＡＭからサブコードを読み出してコントローラユニット４０のマイクロコンピュータ（以降、「マイコン」と略す。）４２に供給する。マイコン４２はサブコードをタイムコードに変換してディスプレイ４４上に表示する。コントローラユニット４０にはユーザが操作する各種の操作キー等が設けられた操作部４６が設けられ、マイコン４２に接続されている。
【００３０】
上記のＣＤ再生部１０〜ＥＥＰＲＯＭ３４が図１，図２における本体１１０に対応し、コントローラユニット４０が図１，図２におけるコントローラ１１４に対応しており、ディスプレイ４４が蛍光表示管１１６及びドライバコントローラ１１８に対応している。
【００３１】
なお、図３に示すディスク再生装置は２台１組とされ、各ディスク再生装置のメインマイコン１２は相互に制御情報を送受することにより連動して動作する。図４は２台１組のディスク再生装置のコントローラユニット４０の平面図を示す。なお、各ディスク再生装置のコントローラユニット４０は同一構成であるため、図４においては一方にのみ符号を付す。
【００３２】
図４中、ディスプレイ４４の表示部８０には、トラック番号やタイムコードを初めとする各種情報が表示され、表示部８１には、ＢＰＭ値が表示される。また、操作部４６のプリセットキー８２、ジョグダイヤル８３，スキップキー８４，サーチキー８５，プレイ／ポーズキー８６，バンクキー８７，メモリキー８８，リコールキー８９，エンターキー９０，ＴＡＰキー９１，ＢＰＭキー９２，テンポＳＹＮＣキー９３，ビートＳＹＮＣキー９４，ループキー９５，Ａキー９６，Ｂキー９７，サンプルキー９８，ＩＮキー９９，ＯＵＴキー１００，テンポキー１０１，テンポボリューム１０２，スクラッチキー１０３，ブレーキキー１０４、テンキー１０５等が設けられている。
【００３３】
なお、２次巻線Ｔ３が請求項記載の第１の２次巻線に対応し、２次巻線Ｔ２が第２の２次巻線に対応し、ダイオードＤ４とコンデンサＣ４が第１の整流回路に対応し、ダイオードＤ２とコンデンサＣ２が第２の整流回路に対応し、ダイオードＤ５とコンデンサＣ５が第３の整流回路に対応する。
【００３４】
【発明の効果】
上述の如く、請求項１に記載の発明は、第１の２次巻線から出力される交流電圧を整流して得た負の直流電圧を第２の２次巻線の一端に供給して第２の２次巻線から出力される交流電圧に重畳し、ヒータの両端のうちの第２の２次巻線の他端と接続された一端から負の直流電圧が重畳された交流電圧を整流して蛍光表示管にグリッド電圧として供給するため、トランスと蛍光表示管との間の配線本数を削減でき、また、抵抗で分圧することなく効率的にグリッド電圧をヒータ電圧に比べて低くできる。
【図面の簡単な説明】
【図１】本発明の蛍光表示管の電源供給回路の第１実施例の回路図である。
【図２】本発明の蛍光表示管の電源供給回路の第２実施例の回路図である。
【図３】本発明が適応されるディスク再生装置の一実施例のブロック構成図である。
【図４】２台１組のディスク再生装置のコントローラユニット４０の平面図である。
【図５】従来の蛍光表示管の電源供給回路の一例の回路図である。
【符号の説明】
１０  ＣＤ再生部
１２  メインマイコン
１４  データメンテナンス用ＤＳＰ１４
１６，２０，２８  ＤＲＡＭ
１８  ＣＤ音エフェクト用ＤＳＰ１８
２２，３０  Ｄ／Ａコンバータ
２６  サンプラーエフェクト用ＤＳＰ２６
３２  ＥＰＲＯＭ
３４  ＥＥＰＲＯＭ
３６  クロックジェネレータ
４０  コントローラユニット
４２  マイコン
４４  ディスプレイ
４６  操作部
１１０  本体
１１２  トランス１１２
１１４  コントローラ
１１６  蛍光表示管
１１８  ドライバコントローラ
【図１】
0003736262.tif 000002
【図２】
0003736262.tif 000003
【図３】
0003736262.tif 000004
【図４】
0003736262.tif 000005
【図５】
0003736262.tif 000006